(57)【特許請求の範囲】
【請求項１】
外壁位置に桁梁を配置して躯体位置を決め、
庇に所望の出寸法を確保する場合には、桁梁から庇の出寸法にあった持出梁を選択、配置し、該持出梁の先端で鼻先梁を前記桁梁と高さが等しくなるように支持させ、
庇の出寸法を最小限とする場合には、桁梁に鼻先梁を兼ねさせ、
該鼻先梁また鼻先梁を兼ねた桁梁に垂木先端部分を架けることによって庇先端の高さが等しく且つ出寸法が異なる庇が混在する寄棟または切妻形式の屋根を形成することを特徴とする屋根架設方法。
【請求項２】
寄棟または切妻形式であり、庇先端に配置され桁梁から持ち出させた持出梁の先端で支持される該桁梁と高さが等しい鼻先梁、または、鼻先梁を兼ねた桁梁に垂木先端部分が架けられて庇先端の高さが等しく且つ出寸法が異なる庇が混在するように構成されたことを特徴とする屋根構造。
【発明の詳細な説明】
【０００１】
【本発明の属する技術分野】
本発明は中低層住宅の屋根、特に軒下面積を自由に選択できる寄棟、切妻屋根の架設方法及び屋根構造に関する。
【０００２】
【従来の技術】
一般の中低層住宅の寄棟、切妻屋根は図７に示すように、躯体である柱５１、梁５２、桁梁５３の桁梁５３に垂木５５を固定（勿論、屋根を支える束５４は必要部分に設ける）している。そして住宅周囲の外壁面５９から庇の樋（図示せず）先端までの寸法、即ち庇の出寸法５８を一定にして、屋根の先端の高さをどこをとっても同じにしている。
【０００３】
【発明が解決しようとする課題】
最近の都市市街地では、成熟した街並みに調和する外観と制約の多い限られた敷地を最大限に活用する住宅が望まれてきている。外観を寄棟や切妻屋根を基調とした高級感のある住宅を狭い敷地に建てたいのである。この時庇の出寸法を自在に組み合わせることが必要になる。例えば、敷地の境界線ぎりぎりに外壁面がくる場合庇の出寸法はなくすか、他の外壁面の庇の出寸法より短くしなければならない。また、南側外壁面では軒下空間を有効に利用するために１ｍ程度あるいは１ｍ以上にしたいというニーズも多くなってきている。
【０００４】
上記従来住宅では、このようなニーズに応えるために外壁面毎に庇の出寸法を変えようとすると、高さが一定の桁梁から下り勾配の垂木を延長しなければならないので庇先端の高さがまちまちになり美観上極めて好ましくない住宅になってしまう。また、強度上垂木を長く延長するためには垂木断面を大きくしなければならない。また垂木の種類も多種にしなければならない。垂木の種類が多くなれば、屋根の鼻先金物、樋の取り付けの納まり、軒裏の処理の単純さなどに多くの難問が生じる。当然部品点数も多くなりコストや、施工手間に多くの問題点になっている。更には、住環境の面からも、庇先端が低くなるため庇下の採光が悪化し、また通風の障害にもなっている。
【０００５】
本発明は、住宅の庇先端の高さが同一であるにもかかわらず庇の出寸法を自由に選択しながら、躯体の位置にとらわれることなく屋根特に庇位置を配置できる設計方法を提供するものである。
【０００６】
【課題を解決するための手段】
本発明に係る屋根架設方法は、外壁位置に桁梁を配置して躯体位置を決め、庇に所望の出寸法を確保する場合には、桁梁から庇の出寸法にあった持出梁を選択、配置し、該持出梁の先端で鼻先梁を前記桁梁と高さが等しくなるように支持させ、庇の出寸法を最小限とする場合には、桁梁に鼻先梁を兼ねさせ、該鼻先梁また鼻先梁を兼ねた桁梁に垂木先端部分を架けることによって庇先端の高さが等しく且つ出寸法が異なる庇が混在する寄棟または切妻形式の屋根を形成することを特徴とする。
【０００７】
本発明に係る屋根構造は、寄棟または切妻形式であり、庇先端に配置され桁梁から持ち出させた持出梁の先端で支持される該桁梁と高さが等しい鼻先梁、または、鼻先梁を兼ねた桁梁に垂木先端部分が架けられて庇先端の高さが等しく且つ出寸法が異なる庇が混在するように構成されたことを特徴とする。
【０００８】
【発明の実施の形態】
以下に、本発明の実施の形態を図面により説明する。図１は、本発明の設計、施工と屋根の構造を示す１実施例の図、図２は図１の第１の外壁面側の詳細の図、図３は図１の第２の外壁面側の詳細の図、図４は別の実施例の詳細な図、図５は住宅の外壁面と庇の先端との関係および屋根の伏図を示す実施例の図、図６は別の実施例で庇の出寸法を最小にした場合の詳細な図である。
【０００９】
図１は住宅を南北にきった断面を示している。第１の外壁面１１が北側で、敷地に余裕がなく庇の出寸法、すなわち外壁面から樋（以下の全ての図では省略）の先端までの寸法があまりとれなく、約８５ｃｍの例である。第２の外壁面１２は南側になっており軒下を屋根のあるベランダにするために庇の出寸法を約２０７ｃｍにしている。
【００１０】
設計にあたり、先ず躯体位置を決め、第１の躯体１５の第１の外壁面１１側の桁梁３から北側に庇の出寸法にあった持出梁１７を配置する。次にその先端に第１の鼻先梁１３を配置する。この第１の鼻先梁１３からモジュールの整数倍で住宅の反対側になる南側のベランダの屋根先端になる位置に第２の鼻先梁１４を配置する。そして第２の躯体１６の桁梁３に持出梁１７を配置する。その後垂木を架けるのである。
【００１１】
このようにすると、少なくとも北側の庇の出寸法は自由に選択することができる。即ち、躯体の配置に無関係に屋根の配置を決めることが可能になる。
【００１２】
同図に示すように、第１の躯体１５の桁梁３と第２の躯体１６の桁梁３の高さが等しく配置されるため、これらの桁梁３に配置した持出梁１７は同一高さに配置されることとなり、従って、各持出梁１７の先端に配置された鼻先梁１４の高さも等しい。即ち、持出梁１７の長さに関わらず、庇の高さが等しくなる。
【００１３】
特に、庇の躯体からの出寸法が各方向に対し一定寸法ではなく、同図及び図５に示すように、屋根の中心と躯体の中心とは一致していない。いいかえると、躯体の中心と屋根の中心とを一致させることに拘泥することなく屋根の設計を行うことで、庇高さが同一の屋根を躯体の配置に関わらず、庇の出寸法を基準として配置し得るようになったのである。
【００１４】
この場合、持出梁の長さをモジュールの整数倍の寸法にしておけば全体としてすべてをモジュールによって構成することができる。そして予め数種類の持出梁を準備しておき、ニーズにあったものを利用すれば部品点数も減り設計、施工に有利である。実用的には庇の出寸法が６０ｃｍから１８０ｃｍ程度で４〜５種類位の持出梁を用意しておくのがいい。本実施例ではモジュールは３０．５ｃｍであり、持出梁の長さ、即ち桁梁と鼻先梁間をモジュールの整数倍にしている。
【００１５】
もし、北側の庇の出寸法をできるだけ小さくしたい場合は、第１の躯体１５の桁梁に第１の鼻先梁１３を兼ねさせ、持出梁１７を省略すればよい。この場合、庇の出寸法はおおよそ２４ｃｍとなる。その実施例は図６に示す。そして、持出梁１７または持出梁１７に取り付けられた鼻先梁１３には垂木５の先端部分が架けられ屋根として仕上げられていく。なお、垂木は複数の垂木からなるパネルの垂木、または垂木と面材とからなるパネルの垂木でもよい。
【００１６】
図２は図１の北側の詳細である。躯体は柱１側面に梁２と桁梁３が固定されている。更にこの柱１または桁梁３に持出梁７が固定され、その先端に鼻先梁６が固定されている。束４が梁２、鼻先梁４に固定され、更に垂木５がその上に架けられている。垂木５の先端の樋が庇先端となり、外壁面９からの寸法が庇の出寸法８となっている。
【００１７】
図３は図１の南側の詳細で、図２と内容は同じで、庇の出寸法８と持出梁７の長さが異なっている。束４が垂木５の先端にない例である。
【００１８】
図４は図２と寸法、構成はほぼ同じであるが、躯体の構造が柱１の上に梁２と持出梁７が一体になった梁が架けられている。これは持出梁を後付けにするより施工上も有利だし、部品点数も少なくできる。
【００１９】
図５は住宅の平面の図であり同図（ａ）は、庇先端１０と外壁面９の関係、すなわち庇の出寸法８が各外壁面の場所により異なる住宅を示し、またその伏図をも兼ねて示している。屋根の稜線１８は稜部と谷部からなっていることを示している。
【００２０】
同図（ｂ）は外壁面９が複雑の形状であっても庇先端１０の外周を矩形（整形）にすることができることを示している。すなわち本発明によれば、このような躯体の外壁面がいかに複雑であっても屋根を単純な整形にできるのである。この例では稜線１８には谷部がない極めて単純な屋根になっている。
【００２１】
同図（ｃ）は壁面内の間取りの例である。要するに庇先端の高さを同一にしながら、庇の出寸法を変化させ上記課題を達成させた住宅の平面の例である。
【００２２】
この例からもいえるように、普通の住宅の平面は矩形であることは少ない、すなわち外壁面は６面以上となり、これに伴い庇の出寸法の種類も３種以上になることが多く、本発明を適用することより設計施工に有利となる。
【００２３】
図６は、図１の説明で持出梁を省略した場合の実施例を示している。要は桁梁３は鼻先梁を兼ねていることである。このようなニーズは市街地では極めて高い。
【００２４】
なお、上記例は鉄骨系住宅をもとに説明したが、本発明は木造にも適用できる。ただし、材料の強度などの点から、鉄骨系に適用した方がよりメリットがある。本発明は、寄棟、切妻の屋根に適用できるが、庇先端を同一高さにして美観上優れた効果を発揮させやすいのは寄棟である。
【００２５】
【発明の効果】
本発明の屋根架設方法及び屋根構造によれば、庇の先端の高さを同一にしながら庇の出寸法を自由に組み合わせることができるので、限られた敷地を最大限に活用でき、また美観上も全く劣ることがない。
【００２６】
特に、本発明では屋根を所望の形状に整形にできるので、屋根が大きく建物を堂々と見せることができ、美観上も有利になる。加えて、屋根構造を単純にでき、屋根の防水面での弱点である谷の部分が少なく、又はなくすことができるので、防水上の欠点もない住宅にできる。その結果より耐久性をもたすことが可能になる。
【００２７】
本発明は、上記課題に記した全ての問題点を解決できている。すなわち、施工、構造など技術的に優れていること、また庇の高さを変えずに庇の出寸法を何種類かもつことは庇下の部屋の環境を庇の出寸法の長さによらず良好にできることだけでなく、美観など未来の住宅のニーズを満たした住宅を提供できるのである。
【図面の簡単な説明】
【図１】本発明の設計、施工と屋根の構造を示す１実施例の図である。
【図２】図１の第１の外壁面側の詳細の図である。
【図３】図１の第２の外壁面側の詳細の図である。
【図４】別の実施例の詳細な図である。
【図５】住宅の外壁面と庇の先端との関係および屋根の伏図を示す実施例の図である。
【図６】別の実施例で庇の出寸法を最小にした場合の詳細な図である。
【図７】従来の外壁面側の詳細な図である。
【符号の説明】
１            柱
２            梁
３            桁梁
４            束
５            垂木
６            鼻先梁
７            持出梁
８            庇の出寸法
９            外壁面
１０          庇先端
１１          第１の外壁面
１２          第２の外壁面
１３          第１の鼻先梁
１４          第２の鼻先梁
１５          第１の躯体
１６          第２の躯体
１７          持出梁
１８          稜線
【図１】
0004646472.tif 000002
【図２】
0004646472.tif 000003
【図３】
0004646472.tif 000004
【図４】
0004646472.tif 000005
【図５】
0004646472.tif 000006
【図６】
0004646472.tif 000007
【図７】
0004646472.tif 000008